(57)【要約】【課題】  建造物を構築すべく使用した場合に、柱の本数を少なくでき、しかもその形状上、強度が大きくかつ美観性にも優れたフレームを提供すること。【解決手段】  柱部分２と梁部分３とを倒Ｌ字型に組み合わせた形状に形成し、前記柱部分２と梁部分３とをアーチ型のウエブ４により一体化し、全体を集成材により形成した。【選択図】      図１
2006063726.tif 000002
【特許請求の範囲】
【請求項１】
柱部分（２）と梁部分（３）とを倒Ｌ字型に組み合わせた形状に形成し、前記柱部分（２）と梁部分（３）とをアーチ型のウエブ（４）により一体化し、全体を集成材により形成したことを特徴とするフレーム。
【請求項２】
それぞれ集成材により形成された柱部材（６）と梁部材（７）とアーチ型の補強部材（８）とを有し、前記柱部材（６）と梁部材（７）とを倒Ｌ字型に連結し、前記柱部材（６）と梁部材（７）間に補強部材（８）を作り付けて前記３部材を一体化したことを特徴とするフレーム。
【請求項３】
それぞれ集成材により形成された第１の柱部材（１０）と第２の柱部材（１１）と梁部材（１２）とを有し、前記第１，第２の柱部材（１０），（１１）を所定の僅かな間隔をおいて並列に配置し、前記第１，第２の柱部材（１０），（１１）の上端部に、前記梁部材（１２）を片持ち状に作り付けて前記３部材を一体化したことを特徴とするフレーム。
【請求項４】
それぞれ集成材により形成された柱部材（１５）と梁部材（１６）とアーチ型の補強部材（１７）とを有し、前記柱部材（１５）の上端部に、梁部材（１６）を一部分が長くかつ他部分が短いほぼＴ字型に作り付け、柱部材（１５）と梁部材（１６）間の少なくとも一側部に、前記補強部材（１７）を作り付けて前記３部材を一体化したことを特徴とするフレーム。
【請求項５】
前記集成材に防腐処理を施したことを特徴とする請求項１〜４のいずれかに記載のフレーム。
【請求項６】
前記集成材に防虫処理を施したことを特徴とする請求項１〜４のいずれかに記載のフレーム。
【請求項７】
前記柱部分または柱部材の正面側に、使用状態と収納状態とにセッティング可能にテーブル（２７）を取り付けたことを特徴とする請求項１〜４のいずれかに記載のフレーム。
【請求項８】
前記柱部分または柱部材の正面側に、使用状態と収納状態とにセッティング可能にベンチ（３１）を取り付けたことを特徴とする請求項１〜４のいずれかに記載のフレーム。
【請求項９】
前記柱部分または柱部材に、水場（３３）を付設したことを特徴とする請求項１〜４のいずれかに記載のフレーム。
【請求項１０】
それぞれ集成材により形成された第１の柱部材（３９）と第２の柱部材（４０）とを所定の間隔をおいて並列に配置し、前記第１，第２の柱部材（３９），（４０）の上端部寄りに、集成材により形成された梁部材（４１）を片持ち状に作り付け、前記第１，第２の柱部材（３９），（４０）間における梁部材（４１）の上部にフェンス（４３）を作り付けたことを特徴とするフレーム。
【請求項１１】
デッキ建造用のスペースに、請求項１〜１０のいずれかに記載のフレームを互いに所要の間隔をおいて複数本並列に立設し、これらのフレームの梁部分または梁部材間にデッキ（４９）を架設し、このデッキ（４９）の周りにフェンス（５０）を取り付けたことを特徴とする建造物。
【請求項１２】
デッキ建造用のスペースに、請求項１〜１０のいずれかに記載のフレームを互いに所要の間隔をおいて複数本並列に立設し、これらのフレームの梁部分または梁部材間における梁部分または梁部材の長さ方向の一部分にデッキ（４９）を架設し、このデッキ（４９）の周りにフェンス（５０）を取り付け、前記デッキ（４９）を拡張可能に構成して置き、ユーザの必要により最大で前記フレームの先端までデッキを拡張し、拡張されたデッキ（５３）の周りにフェンス（５４）を取り付けたことを特徴とする建造物。
【請求項１３】
デッキ建造用のスペースに、請求項１〜１０のいずれかに記載のフレームを互いに所要の間隔をおいて複数本並列に立設し、これらのフレームの梁部分または梁部材間に屋根（５５）を取り付け、この屋根（５５）の上方における前記フレームの梁部分または梁部材間にデッキ（４９）を架設し、このデッキ（４９）の周りにフェンス（５０）を取り付けたことを特徴とする建造物。
【請求項１４】
前記デッキ（４９），（５３）もしくは屋根（５５）の下方の空間、またはデッキ（４９），（５３）の上部に、バルコニー，ガーデンルーム（６１）・（８５），物干し設備（５６）・（８１），店舗，遊具，食事・喫茶設備，流し台，洗面・手洗い設備，家庭菜園，パーゴラ（６０），オーニング，休息用具のうちの、少なくとも一つを設けたことを特徴とする請求項１１，１２または１３に記載の建造物。
【請求項１５】
前記デッキ（４９），（５３）または屋根（５５）の下方の空間を、カーポートとして利用可能に構成したことを特徴とする請求項１１，１２または１３に記載の建造物。
【請求項１６】
地面（Ｇ）と前記デッキ（４９），（５３）間に階段を設置したことを特徴とする請求項１１，１２または１３に記載の建造物。
【発明の詳細な説明】
【技術分野】
【０００１】
本発明は、集成材製のフレームと、このフレームを用いて構築した建造物に関する。
【背景技術】
【０００２】
ひき板または小角材などを、その繊維方向を互いにほぼ揃えて、長さ，幅または厚さ方向に集成・接着してなる集成材は、接着剤および接着技術の進歩により、建材としての強度，耐久性，耐湿性や耐候性等が著しく向上してきている。
【０００３】
また、森林資源の有効利用の観点から、集成材の用途に関する規制が緩和されているばかりでなく、集成材の利用が奨励されている。
【０００４】
さらには、集成材が醸し出す美しいウッド感を利用した用途開発も進んできている。
【０００５】
なお、この種集成材を利用した構造物の従来技術としては、次のような技術がある。
【特許文献１】特開２００３−２３９３８２号公報
【発明の開示】
【発明が解決しようとする課題】
【０００６】
ところで、前掲特開２００３−２３９３８２号公報に記載の従来技術では、小・中断面の集成材の単体、または鋼材製の芯材の両側面に集成材を貼り合わせた複合材で形成された２本一対の柱と、梁とを有している。そして、２本の柱の上端部に梁の長さ方向の端部を当接し、各柱と梁の合わせ部分に鋼板製の接合プレートを当て、ボルトやドリフトピンにより結合し、いわゆる門型のラーメンフレームを形成し、これを建造物用の一単位として用いるようにしている。
【０００７】
しかしながら、前記従来技術では、各柱と梁とを鋼板製の接合プレートと、ボルトやドリフトピンにより結合しているので、集成材の持つ美しいウッド感が損なわれるおそれがある。
【０００８】
また、前記従来技術によるラーメンフレームで建造物を構築した場合、梁を支える柱が２本以上必要となり、建造物を構築する場所によっては柱が邪魔になる場合がある。
【０００９】
本発明は、上記の事情に鑑みなされたもので、その目的とするところは、建造物を構築すべく使用した場合に、柱の本数を少なくでき、しかもその形状上、強度が大きくかつ美観性にも優れたフレームを提供することにある。
【００１０】
また、本発明の他の目的は、ユーザからの多様な要望に応じて、屋内・屋外で使用する場合でも、施工が簡単なフレームを提供することにある。
【００１１】
さらに、本発明の他の目的は、柱の本数が少なく、かつ強度が大きく多様な用途に使用でき、しかも美観性が高い建造物を提供することにある。
【課題を解決するための手段】
【００１２】
前記目的を達成するため、本発明の請求項１に記載の発明では、柱部分２と梁部分３とを倒Ｌ字型に組み合わせた形状に形成し、前記柱部分２と梁部分３とをアーチ型のウエブ４により一体化し、全体を集成材により形成している。
【００１３】
また、前記目的を達成するため、本発明の請求項２に記載の発明では、それぞれ集成材により形成された柱部材６と梁部材７とアーチ型の補強部材８とを有し、前記柱部材６と梁部材７とを倒Ｌ字型に連結し、前記柱部材６と梁部材７間に補強部材８を作り付けて前記３部材を一体化している。
【００１４】
また、前記目的を達成するため、本発明の請求項３に記載の発明では、それぞれ集成材により形成された第１の柱部材１０と第２の柱部材１１と梁部材１２とを有し、前記第１，第２の柱部材１０，１１を所定の僅かな間隔をおいて並列に配置し、前記第１，第２の柱部材１０，１１の上端部に、前記梁部材１２を片持ち状に作り付けて前記３部材を一体化している。
【００１５】
また、前記目的を達成するため、本発明の請求項４に記載の発明では、それぞれ集成材により形成された柱部材１５と梁部材１６とアーチ型の補強部材１７とを有し、前記柱部材１５の上端部に、梁部材１６を一部分が長くかつ他部分が短いほぼＴ字型に作り付け、柱部材１５と梁部材１６間の少なくとも一側部に、前記補強部材１７を作り付けて前記３部材を一体化している。
【００１６】
また、前記目的を達成するため、本発明の請求項５に記載の発明では、前記集成材に防腐処理を施している。
【００１７】
また、前記目的を達成するため、本発明の請求項６に記載の発明では、前記集成材に防虫処理を施している。
【００１８】
また、前記目的を達成するため、本発明の請求項７に記載の発明では、前記柱部分または柱部材の正面側に、使用状態と収納状態とにセッティング可能にテーブル２７を取り付けている。
【００１９】
また、前記目的を達成するため、本発明の請求項８に記載の発明では、前記柱部分または柱部材の正面側に、使用状態と収納状態とにセッティング可能にベンチ３１を取り付けている。
【００２０】
また、前記目的を達成するため、本発明の請求項９に記載の発明では、前記柱部分または柱部材に、水場３３を付設している。
【００２１】
また、前記目的を達成するため、本発明の請求項１０に記載の発明では、それぞれ集成材により形成された第１の柱部材３９と第２の柱部材４０とを所定の間隔をおいて並列に配置し、前記第１，第２の柱部材３９，４０の上端部寄りに、集成材により形成された梁部材４１を片持ち状に作り付け、前記第１，第２の柱部材３９，４０間における梁部材４１の上部にフェンス４３を作り付けている。
【００２２】
また、前記目的を達成するため、本発明の請求項１１に記載の発明では、デッキ建造用のスペースに、請求項１〜１０のいずれかに記載のフレームを互いに所要の間隔をおいて複数本並列に立設し、これらのフレームの梁部分または梁部材間にデッキ４９を架設し、このデッキ４９の周りにフェンス５０を取り付けている。
【００２３】
また、前記目的を達成するため、本発明の請求項１２に記載の発明では、デッキ建造用のスペースに、請求項１〜１０のいずれかに記載のフレームを互いに所要の間隔をおいて複数本並列に立設し、これらのフレームの梁部分または梁部材間における梁部分または梁部材の長さ方向の一部分にデッキ４９を架設し、このデッキ４９の周りにフェンス５０を取り付け、前記デッキ４９を拡張可能に構成して置き、ユーザの必要により最大で前記フレームの先端までデッキを拡張し、拡張されたデッキ５３の周りにフェンス５４を取り付けている。
【００２４】
また、前記目的を達成するため、本発明の請求項１３に記載の発明では、デッキ建造用のスペースに、請求項１〜１０のいずれかに記載のフレームを互いに所要の間隔をおいて複数本並列に立設し、これらのフレームの梁部分または梁部材間に屋根５５を取り付け、この屋根５５の上方における前記フレームの梁部分または梁部材間にデッキ４９を架設し、このデッキ４９の周りにフェンス５０を取り付けている。
【００２５】
また、前記目的を達成するため、本発明の請求項１４に記載の発明では、前記デッキ４９，５３もしくは屋根５５の下方の空間、またはデッキ４９，５３の上部に、バルコニー，ガーデンルーム６１・８５，物干し設備５６・８１，店舗，遊具，食事・喫茶設備，流し台，洗面・手洗い設備，家庭菜園，パーゴラ６０，オーニング，休息用具のうちの、少なくとも一つを設けている。
【００２６】
さらに、前記目的を達成するため、本発明の請求項１５に記載の発明では、前記デッキ４９，５３または屋根５５の下方の空間を、カーポートとして利用可能に構成している。
【００２７】
そして、前記目的を達成するため、本発明の請求項１６に記載の発明では、地面Ｇと前記デッキ４９，５３間に階段を設置している。
【発明の効果】
【００２８】
本発明の請求項１に記載のフレームによれば、柱部分２と梁部分３とを倒Ｌ字型に組み合わせた形状に形成しており、柱部分２により梁部分３を片持ち状に支持する形状に形成しているので、柱の本数を少なくなし得る効果がある。また、このフレームでは柱部分２と梁部分３とをアーチ型のウエブ４により一体化しているので、その形状上、強度が大きいという効果がある。さらに、このフレームは全体を集成材で形成しているので、美しいウッド感を有していること、柱部分２と梁部分３とを倒Ｌ字型に組み合わせ、これら柱部分２と梁部分３とをアーチ型のウエブ４により一体化しており、形状自体が美しいこととが相俟って、美観性が高いという効果もある。
【００２９】
本発明の請求項２に記載のフレームによれば、柱部材６と梁部材７とを倒Ｌ字型に連結しており、柱部材６により梁部材７を片持ち状に支持する形状に形成しているので、柱の本数を少なくなし得る効果がある。また、このフレームでは柱部材６と梁部材７間にアーチ型の補強部材８を取り付けて補強しているので、その形状上、強度が大きいという効果がある。さらに、このフレームは全体を集成材で形成し、美しいウッド感をそのまま活かしていること、柱部材６と梁部材７とを倒Ｌ字型に連結し、これら柱部材６と梁部材７間にアーチ型の補強部材８を取り付けており、その形状自体が美しいこととが相俟ち、美観性が高いという効果もある。
【００３０】
本発明の請求項３に記載のフレームによれば、第１の柱部材１０と第２の柱部材１１とを所定の僅かな間隔をおいて並列に配置し、前記第１，第２の柱部材１０，１１の上端部に、梁部材１２を片持ち状に作り付けており、実質的に１本の柱により梁部材１２を片持ち状に支持しているので、実質的に柱の本数を少なくなし得る効果がある。また、このフレームは所定の間隔をおいて並列に配置された第１，第２の柱部材１０，１１の上端部に、梁部材１２を片持ち状に作り付けているので、梁の支持構造上、強度が大きいとう効果がある。さらに、このフレームは第１，第２の柱部材１０，１１および梁部材１２共、集成材で形成しているので、美しいウッド感を持っていること、第１，第２の柱部材１０，１１の上端部に梁部材１２を片持ち状に支持しているので、その形状上、安定感と美感とを呈することとが相俟ち、全体として美観性が高いという効果もある。また、このフレームでは梁部材１２が受ける負荷によって、第１，第２の柱部材１０，１１の間隔を自由に調整することができる。
【００３１】
本発明の請求項４に記載のフレームによれば、柱部材１５の上端部に、梁部材１６を一部分が長くかつ他部分が短いほぼＴ字型に作り付けているので、梁を支える柱の本数を少なくすることができるという効果がある。また、このフレームでは柱部材１５の上端部に梁部材１６をほぼＴ字型に作り付け、少なくとも柱部材１５と梁部材１６間の一側部に、アーチ型の補強部材１７を作り付け、これら３部材を一体化しているので、その形状上、強度が大きいという効果がある。さらに、このフレームでは柱部材１５、梁部材１６および補強部材１７共、集成材で形成しているので、美しいウッド感を持っていること、柱部材１５と梁部材１６とをほぼＴ字型に組み合わせ、両部材間の少なくとも一側部にアーチ型の補強部材１７を作り付けているので、その形状上、安定感および美感を呈することにより、全体として美観性が高いという効果もある。
【００３２】
本発明の請求項５に記載のフレームによれば、各部を構成する集成材に防腐処理を施しているので、多湿地帯への建造物の構築用として、または雨水が直接当たるような建造物の構築用として有効に使用し得る効果がある。
【００３３】
本発明の請求項６に記載のフレームによれば、各部を構成する集成材に防虫処理を施しているので、例えば白蟻被害等、木材に対する害虫被害の多発地帯における建造物の構築用として好適に使用し得る効果がある。
【００３４】
本発明の請求項７に記載のフレームによれば、使用状態と収納状態とにセッティング可能なテーブル２７を備えた建造物を簡単に施工し得る効果がある。また、このフレームを直接野外に建て、必要時にテーブル２７を使用状態にセッティングし、簡便に使用し得る効果もある。
【００３５】
本発明の請求項８に記載のフレームによれば、使用状態と収納状態とにセッティング可能なベンチ３１を備えた建造物を簡単に施工し得る効果がある。また、このフレームも直接野外に建て、必要時にベンチ３１を使用状態にセッティングし、簡便に使用し得る効果がある。
【００３６】
本発明の請求項９に記載のフレームによれば、簡易な水場３３を備えた建造物を簡単に施工し得る効果がある。また、このフレームも直接野外に建て、手足などを洗ったり、水汲み場などに水場３３を簡便に使用し得る効果がある。
【００３７】
本発明の請求項１０に記載のフレームによれば、第１，第２の柱部材３９，４０間における梁部材４１の上部にフェンス４３を作り付けているので、本発明のこのフレームを用いれば、デッキの周りを囲むフェンスを、より簡単に施工し得る効果がある。
【００３８】
本発明の請求項１１に記載の建造物によれば、本発明にかかるフレームの梁部分または梁部材間に、デッキ４９を片持ち状に支持しているので、デッキ４９の下方に、片側に邪魔な柱がなく使い勝手に優れた空間を確保し得る効果がある。また、フレーム自体強度が大きいので、デッキ４９上を多様な用途に活用し得る効果がある。さらに、フレームの持つ美しいウッド感と、フレームの形状上の美感とが相俟ち、優れた美観性を呈するという効果もある。
【００３９】
本発明の請求項１２に記載の建造物によれば、構築当初は複数本立設されたフレームの梁部分または梁部材間における梁部分または梁部材の長さ方向の一部分にだけデッキ４９を架設し、このデッキ４９を後日ユーザの必要により拡張可能に構成しているので、必要によりデッキを簡単に拡張し得る効果がある。また、ユーザが必要によりデッキを拡張すれば、デッキの利用価値を大幅に高め得る効果がある。さらには、この建造物の構築用のフレームに、防腐・防虫処理を施したフレームを用いれば、必要な強度を長期間にわたって保持できるので、当初狭いデッキを構築した後、比較的長い期間経過後に広いデッキに拡張する場合であっても、既存のフレームを活かしてデッキを簡単に施工し得る効果がある。
【００４０】
本発明の請求項１３に記載の建造物によれば、複数本立設されたフレームの梁部分または梁部材間に屋根５５を片持ち状に取り付け、この屋根５５の上方にデッキ４９を架設しているので、屋根の下方に、片側に邪魔な柱がなく、しかも雨水が当たらない有効な空間を形成し得る効果がある。
【００４１】
本発明の請求項１４に記載の建造物によれば、デッキもしくは屋根の下方の空間またはデッキの上部に、バルコニーやガーデンルーム６１・８５，物干し設備５６・８１，店舗，遊具，食事・喫茶設備，流し台，洗面・手洗い設備，家庭菜園，パーゴラ６０，オーニング，休息用具等を設けているので、それぞれの機能を活かしてデッキもしくは屋根の下方の空間またはデッキの上部を有効に利用し得る効果がある。
【００４２】
また、本発明の請求項１５に記載の建造物によれば、デッキまたは屋根の下方の空間を、カーポートとして利用可能に構成しているので、デッキまたは屋根の下方の空間を、片側に邪魔な柱がなく、使い勝手の優れたカーポートとして使用し得る効果がある。
【００４３】
さらに、本発明の請求項１６に記載の建造物によれば、地面Ｇとデッキ４９，５３間に階段を設置しており、この階段を利用してデッキ４９，５３に簡便に登り降りでき、したがってデッキ４９，５３の利用価値を高め得る効果がある。
【発明を実施するための最良の形態】
【００４４】
以下、本発明の色々な実施例を図面に基づいて説明する。
【実施例１】
【００４５】
図１は本発明の実施例１としてのフレームの斜視図である。
【００４６】
この図１に示すフレーム１は、柱部分２と梁部分３とが倒Ｌ字型に組み合わせた形状に形成されている。前記梁部分３の上部は、フラットに形成されている。
【００４７】
前記柱部分２と梁部分３とは、アーチ型のウエブ４により一体化されている。
【００４８】
そして、フレーム１全体が集成材により形成されている。
【００４９】
このフレーム１は、例えばコンクリート製の基礎４４に、柱部分２の根元部分をアンカスタッド４５により固定して使用される。
【００５０】
しかして、このフレーム１は柱部分２と梁部分３とを倒Ｌ字型に組み合わせた形状に形成し、柱部分２により梁部分３を片持ち状に支持する形状に形成しているので、このフレーム１により建造物を構築した場合に、柱の本数を少なくすることができる。
【００５１】
また、このフレーム１は柱部分２と梁部分３とをアーチ型のウエブ４により一体化しているので、その形状上、強度を大きくなし得る。しかも、梁部分３の上部をフラットに形成しているので、デッキ等を容易に取り付けることができる。
【００５２】
さらに、このフレーム１は全体を集成材で形成しているので、美しいウッド感を有していること、また柱部分２と梁部分３とを倒Ｌ字型に組み合わせ、これらの部分をアーチ型のウエブ４により一体化しているので、その形状自体が美しいこととが相俟ち、美観性を高くなし得る。
【実施例２】
【００５３】
図２は本発明の実施例２としてのフレームの斜視図である。
【００５４】
この図２に示すフレーム５は、柱部材６と梁部材７とが倒Ｌ字型に連結されている。前記梁部材７の上部は、フラットに形成されている。
【００５５】
前記柱部材６と梁部材７間には、補強部材８が作り付けられていて、これら３部材が一体化されている。
【００５６】
そして、これら３部材は集成材により形成されている。
【００５７】
このフレーム５も、例えばコンクリート製の基礎４４に、柱部材６の根元部分をアンカスタッド４５により固定して使用される。
【００５８】
ところで、このフレーム５は柱部材６と梁部材７とを倒Ｌ字型に連結し、柱部材６により梁部材７を片持ち状に支持する形状に形成しているので、このフレーム５により建造物を構築した場合には、柱の本数を少なくなし得る。
【００５９】
また、このフレーム５では柱部材６と梁部材７間にアーチ型の補強部材８を取り付けて補強しているので、強度を大きくすることができる。この実施例においても、梁部材７の上部をフラットに形成しているので、デッキ等を容易に取り付けることができる。
【００６０】
さらに、このフレーム５も全体を集成材で形成しているので、美しいウッド感を持っていること、柱部材６と梁部材７間にアーチ型の補強部材８を取り付けているので、形状自体が美しいこととが相俟ち、美観性を高くなし得る。
【実施例３】
【００６１】
図３は本発明の実施例３としてのフレームの斜視図である。
【００６２】
この図３に示す実施例３のフレーム９は、それぞれ集成材により形成された第１の柱部材１０と、第２の柱部材１１と、梁部材１２とを有している。
【００６３】
前記第１の柱部材１０と第２の柱部材１１とは、所定の僅かな間隔をおいて並列に配置されている。これら第１，第２の柱部材１０，１１の上端部には、梁部材１２を受け入れる溝が形成されており、前記第１，第２の柱部材１０，１１は梁部材１２が受ける負荷によって、間隔を自由に調整し得るようになっている。なお、第２の柱部材１１の根元部分は、集成材製の補強材１１’により補強されている。
【００６４】
前記梁部材１２は、前記第１，第２の柱部材１０，１１の上端部に片持ち状に架設され、かつ固着具１３により作り付けられていて、前記３部材が一体化されている。この梁部材１２も、上部はフラットに形成されている。なお、固着具１３には好ましくは前記３部材と保護色のものを用いる。
【００６５】
このフレーム９を用いて建造物を構築する場合には、例えばコンクリート製の基礎４４に、第１，第２の柱部材１０，１１の根元部分をアンカスタッド４５により固定して使用される。
【００６６】
そして、このフレーム９は第１の柱部材１０と第２の柱部材１１とを所定の僅かな間隔をおいて並列に配置し、前記第１，第２の柱部材１０，１１の上端部に、梁部材１２を片持ち状に作り付けており、実質的に１本の柱に梁部材１２を片持ち状に支持した形状に形成しているので、このフレーム９を用いて建造物を構築した場合には、実質的に柱の本数を少なくすることができる。
【００６７】
また、このフレーム９では所定の間隔をおいて並列に配置された第１，第２の柱部材１０，１１の上端部に、梁部材１２を片持ち状に作り付けているので、梁の支持構造上、強度を大きくなし得る。この実施例においても、梁部材１２の上部をフラットに形成しているので、デッキ等を容易に取り付けることができる。
【００６８】
さらに、このフレーム９も第１，第２の柱部材１０，１１および梁部材１２の３部材共、集成材で形成しているので、美しいウッド感を持っていること、第１，第２の柱部材１０，１１の上端部に梁部材１２を片持ち状に支持しているので、その形状上、安定感と美感を呈することとが相俟ち、美観性を高くすることができる。
【実施例４】
【００６９】
図４は本発明の実施例４の一例を示す斜視図、図５は実施例４の他の例を示す斜視図である。
【００７０】
その図４に示す実施例４のフレーム１４は、それぞれ集成材により形成された柱部材１５と、梁部材１６と、アーチ型に形成された補強部材１７とを有している。
【００７１】
前記柱部材１５の上端部には、梁部材１６が図示の例では一部分としての右側の部分が長く、かつ他部分としての左側の部分が短いほぼＴ字型に作り付けられている。この梁部材１６も、上部がフラットに形成されている。
【００７２】
そして、前記柱部材１５と梁部材１６間の一側部には、前記アーチ型の補強部材１７が作り付けられていて、柱部材１５と梁部材１６と補強部材１７の３部材が一体化されている。
【００７３】
この図４に示す実施例４のフレーム１４は、柱部材１５の上端部に、梁部材１６を一部分が長く、他部分が短いほぼＴ字型に作り付けられているので、梁を支持する柱の本数を少なくすることができ、したがってこのフレーム１４を用いて建造物を構築したときは、邪魔になる柱の本数を少なくすることができる。
【００７４】
また、このフレーム１４では柱部材１５の上端部に梁部材１６をほぼＴ字型に作り付け、柱部材１５と梁部材１６間の一側部にアーチ型の補強部材１７を作り付け、これら３部材を一体化しているので、その形状上、強度を大きくなし得る。さらに、この実施例においても、梁部材１６の上部をフラットに形成しているので、デッキ等を容易に取り付けることができる。
【００７５】
しかも、このフレーム１４では柱部材１５、梁部材１６および補強部材１７共、集成材で形成しているので、美しいウッド感を呈すること、柱部材１５と梁部材１６とをほぼＴ字型に組み合わせ、両部材間の一側部にアーチ型の補強部材１７を作り付けているので、その形状が美しいこととが相俟ち、美観性を高めることができる。
【００７６】
次に、図５に示す実施例４のフレーム１４は、ほぼＴ字型に組み合わされた柱部材１５と梁部材１６間の他側部に、集成材によりアーチ型に形成された補強部材１８が一体に取り付けられている。
【００７７】
したがって、この図５に示すフレーム１４は、前記図４に示すものに比較して、より一層強度を大きくなし得るし、形状上、安定感を持った美感を呈する。
【００７８】
なお、この図５に示すフレーム１４の他の構成，作用については、前記図４に示すものと同様である。
【実施例５】
【００７９】
図６は本発明の実施例５の一例を示す斜視図、図７および図８はそれぞれ実施例５の他の例を示す斜視図である。
【００８０】
その図６に示す実施例５のフレーム２０は、前記図１に示す実施例１において、梁部分３の反対側に梁部分２１が延設されている。
【００８１】
この梁部分２１は、集成材により形成されており、しかも梁部分３よりも長く形成されている。また、この梁部分２１は柱部分２の上端部に作り付けられていて、一体化されている。
【００８２】
なお、この図６に示すフレーム２０の他の構成，作用については、図１に示す実施例１のフレーム１と同様である。
【００８３】
次に、図７に示す実施例５のフレーム２２は、図２に示す実施例２において、柱部材６の上端部に、集成材製の長い梁部材２３が作り付けられている。
【００８４】
この梁部材２３は、柱部材６の一側部側としての右側に短い部分２３ａを配し、他側部側としての左側に長い部分２３ｂを配して柱部材６にほぼＴ字型に作り付けられている。
【００８５】
前記柱部材６と梁部材２３の長さの短い部分２３ａ間には、アーチ型の補強部材８が作り付けられていて、柱部材６と梁部材２３と補強部材８とが一体化されている。
【００８６】
なお、この図７に示すフレーム２２の他の構成，作用については、前記図２に示す実施例２のフレーム５と同様である。
【００８７】
ついで、図８に示す実施例５のフレーム２４では、図３に示す実施例３において、所定の僅かな間隔をおいて並設された第１，第２の柱部材１０，１１の上端部に、集成材製で長く形成された梁部材２５が取り付けられている。
【００８８】
前記梁部材２５は、第１，第２の柱部材１０，１１における第２の柱部材１１側に短く配し、第１の柱部材１０側には長く配してほぼＴ字型に組み付けられ、かつ短い部分２５ａは固着具１３を介して第２の柱部材１１に取り付けられ、長い部分２５ｂは固着具１３を介して第１の柱部材１０に取り付けられている。
【００８９】
この図８に示すフレーム２４の他の構成，作用については、前記図３に示す実施例３のフレーム９と同様である。
【００９０】
ところで、この実施例５のフレーム２０，２２，２４は、長い梁部分２１または梁部材２３，２５の長い部分２３ｂ，２５ｂを例えば家屋側に配し、短い梁部分３または梁部材２３，２５の短い部分２３ａ，２５ａを例えばベランダ側に配して、建造物の構築に用いれば、柱部分２、柱部材６または第１，第２の柱部材１０，１１を、家屋の柱とベランダ側の建造物の柱とに共用することもできる。
【実施例６】
【００９１】
前記実施例１〜５の各フレームに、防腐処理を施しているので、多湿地帯への建造物の構築用として、または直接雨水が当たる用途に好適である。
【００９２】
前記フレームに防腐処理を施す方法としては、フレームに防腐剤を塗布しても良く、フレームを防腐剤溶液に浸漬しても良く、または集成材を接着するための接着剤に防腐剤を添加しても良い。さらには、ひき板や小角材に防腐剤を圧力を掛けて注入して浸透させ、防腐処理を施したひき板や小角材を接着して集成材を作り、その集成材によりフレームを形成しても良い。
【実施例７】
【００９３】
前記実施例１〜５の各フレームに、防虫処理を施しているので、白蟻被害等、木材に対する害虫被害の多発地帯での建造物の構築に好適である。
【００９４】
前記フレームに防虫処理を施す方法としては、フレームに防虫剤を直接塗布しても良く、またフレームを防虫剤溶液に浸漬しても良く、さらには集成材の接着剤に防虫剤を添加してこれを用いても良い。さらにまた、ひき板や小角材に防虫剤を圧力を掛けて注入して浸透させ、防虫処理を施したひき板や小角材を接着して集成材を作り、その集成材によりフレームを形成しても良い。
【実施例８】
【００９５】
図９は本発明の実施例８を示すもので、テーブルを使用状態にセッティングした場合の斜視図、図１０は同実施例８において、テーブルを収納状態にセッティングした場合の斜視図である。
【００９６】
これら図９および図１０に示す実施例８では、テーブルを取り付けるためのフレームとして、図５に示すフレーム１４を用いている。
【００９７】
そして、前記フレーム１４における柱部材１５の正面側に、ヒンジ２６を介してテーブル２７が取り付けられている。このテーブル２７には、使用状態において、床面や地面と平行になるように、折り畳み式の脚２８が取り付けられている。
【００９８】
このテーブル付きフレーム１４を、建造物用の柱および梁として、または直接野外に立設することにより、必要に応じてテーブル２７を図９に示すように使用状態にセッティングし、椅子２９を配して簡便に使用することができる。また、テーブル２７を使用しない場合には、図１０に示すように、フレーム１４に立て掛けて収納しておく。
【００９９】
したがって、この実施例８によればユーザの要望により、このテーブル付きフレーム１４を用いて建造物を構築すれば、使用状態と収納状態とにセッティング可能なテーブル２７を備えた建造物を簡単に施工することができる。
【０１００】
また、このテーブル付きフレーム１４を公園や庭園等の野外に建て、必要時にテーブル２７を使用状態にセッティングして、簡便に使用することもできる。
【０１０１】
なお、テーブル２７を取り付けるためのフレームには、前記実施例１〜７のいずれのフレームをも用いることができる。
【実施例９】
【０１０２】
図１１は本発明の実施例９を示すもので、ベンチを使用状態にセッティングした場合の斜視図、図１２は同実施例９において、ベンチを収納状態にセッティングした場合の斜視図である。
【０１０３】
これら図１１および図１２に示す実施例９では、ベンチを取り付けるためのフレームとして図４に示すフレーム１４を用いている。
【０１０４】
しかして、このフレーム１４における柱部材１５の正面側に、ヒンジ３０を介してベンチ３１が取り付けられている。このベンチ３１には、使用状態において、床面や地面と平行になるように、折り畳み式の脚３２が取り付けられている。
【０１０５】
そして、このベンチ付きフレーム１４を、建造物用の柱および梁として、または直接野外に立設することにより、必要に応じてベンチ３１を図１１に示すように、使用状態にセッティングして簡便に使用することができる。また、ベンチ３１を使用しない場合には、図１２に示すように、フレーム１４に立て掛けた状態に収納しておく。
【０１０６】
したがって、この実施例９によれば、ユーザの要望により、このベンチ付きフレーム１４を用いて建造物を構築すれば、使用状態と収納状態とにセッティング可能なベンチ３１を備えた建造物を簡単に施工することができる。
【０１０７】
さらには、このベンチ付きフレーム１４を公園や庭園等の野外に単独で建て、必要時にベンチ３１を使用状態にセッティングして、簡便に使用することもできる。
【０１０８】
なお、このベンチ３１を取り付けるためのフレームとして、前記実施例１〜７のいずれのフレームをも用いることができる。
【実施例１０】
【０１０９】
図１３は本発明の実施例１０を示す斜視図である。
【０１１０】
この図１３に示す実施例１０では、フレーム１４における柱部材１５の正面側に、水場３３が付設されている。
【０１１１】
この水場３３は、水道取り付け用柱３４と、これに取り付けられた蛇口３５と、水口３７を有する流し３６とを有していて、フレーム１４に一体に取り付けられている。
【０１１２】
しかして、この水場付きフレーム１４を、例えばバルコニーやカーポート、または直接野外に立設することにより、蛇口３５から水を注出し、手足や顔を洗ったり、水汲み場等に、簡便に使用することができる。
【０１１３】
また、ユーザからの要望により、水場３３を有する建造物を簡単に施工することができる。
【０１１４】
さらに、この水場付きフレーム１４を公園や庭園等の野外に、簡単に立設して使用することもできる。
【０１１５】
なお、水場３３を取り付けるためのフレームには、前記実施例１〜７のいずれのフレームをも使用することができる。
【実施例１１】
【０１１６】
図１４は本発明の実施例１１の一例を示す斜視図、図１５は同実施例１１の他の例を示す斜視図である。
【０１１７】
この実施例１１の図１４に示す例では、フレーム３８が第１，第２の柱部材３９，４０と、梁部材４１と、フェンス４３とを備えている。そして、これらの部材はすべて集成材で形成されている。
【０１１８】
前記第１，第２の柱部材３９，４０は、互いに所定の間隔をおいて配置されている。これら第１，第２の柱部材３９，４０の上部側には、梁部材４１を水平に支持すべく切り込みが形成されている。
【０１１９】
前記梁部材４１も、上部がフラットに形成されている。この梁部材４１は、前述のごとく第１，第２の柱部材３９，４０の上部側に形成された切り込みを介して、第１，第２の柱部材３９，４０に片持ち状に配置され、かつ固着具４２，４２を介して第１，第２の柱部材３９，４０に取り付けられている。なお、固着具４２には好ましくは集成材と保護色のものを用いる。
【０１２０】
前記フェンス４３は、梁部材４１の上部において、第１，第２の柱部材３９，４０間に形成されている。また、フェンス４３はこの図１４に示す例では、筋違い状に形成されている。
【０１２１】
一方、この実施例１１の図１５に示す例では、第２の柱部材４０の根元側が集成材により形成された補強材４０’で補強されている。
【０１２２】
また、この図１５に示す例ではフェンス４３が斜め格子状に形成されている。
【０１２３】
この図１５に示す例の他の構成については、図１４に示す例と同様である。なお、フェンス４３のデザインは図１４，図１５に示すものに限らないこと勿論である。
【０１２４】
この実施例１１におけるフレーム３８を用いれば、フレーム３８の梁部材４１の上部にデッキを構築し、そのデッキの周りをフェンスで囲む建造物を、より簡単に施工することができる。
【実施例１２】
【０１２５】
図１６は本発明の実施例１２としての建造物の一例を示す斜視図である。
【０１２６】
この図１６に示す実施例１２の建造物では、デッキ建造用のスペースである家屋のベランダ側に、実施例１に示すフレーム１が互いに所定の間隔をおいて２本並列に配置されている。各フレーム１は、柱部分２の根元側を、コンクリート製の基礎４４にアンカスタッド４５により固定することによって、地面Ｇ上に立設されている。
【０１２７】
立設された２本のフレーム１，１の梁部分３，３の根元側、つまり家屋のドア４６側には梁４７が組み付けられている。また、前記梁部分３，３の長さ方向のほぼ中間部には、他の梁４８が組み付けられている。
【０１２８】
前記２本の梁４７，４８間には、デッキ４９が架設されている。
【０１２９】
前記デッキ４９の周りには、フェンス５０が取り付けられている。
【０１３０】
この実施例１２の建造物によれば、２本のフレーム１，１の梁部分３，３間における家屋のドア４６側に架設されたデッキ４９を、家屋の２階のドア４６から出入り可能なバルコニー等として、有効に利用することができる。
【０１３１】
また、デッキ４９の下方の空間は、片側に邪魔な柱のないスペースとして有効に利用することができる。
【０１３２】
さらに、この建造物は本発明にかかるフレーム１を用いているので、強度が大きく、しかもフレーム１の美しいウッド感と、形状上の美感とを活かして美観性を高くなし得る。
【０１３３】
また、この実施例１２の建造物は家屋のベランダとは無関係の、建造物用いかなるのスペースにも構築することができる。
【０１３４】
なお、この実施例１２において、フレームには実施例１のフレーム１のみならず、実施例２〜１１のフレームのいずれをも選択的に使用することができる。
【実施例１３】
【０１３５】
図１７および図１８は本発明の実施例１３を示すもので、図１７はデッキを拡張する前の状態を示す斜視図、図１８はデッキを拡張した後の状態を示す斜視図である。
【０１３６】
これらの図に示す実施例１３では、構築当初の段階においては、図１７に示すように、複数本（図示例では２本）のフレーム１，１の梁部分３，３間における家屋のドア４６側寄りの一部分に、梁部分３，３と梁４８間にわたってデッキ４９を架設し、このデッキ４９の周りにフェンス５０を取り付けた状態で使用する。
【０１３７】
そして、後日ユーザの必要により、図１８に示すように、各フレーム１の梁部分３の先端部側に補強柱５１を立設し、かつ梁部分３，３におけるデッキを拡張すべき位置に梁５２を取り付ける。
【０１３８】
ついで、前記梁５２の位置までデッキを拡張し、その拡張されたデッキ５３の周りにフェンス５４を取り付ける。
【０１３９】
以上の説明からも分かるように、この実施例１３の建造物によれば、複数本のフレーム１の梁部分３間に、デッキの拡張スペースを確保しておき、後日ユーザが必要に応じて狭いデッキ４９を広いデッキ５３に、最大でフレーム１の梁部分３の先端まで、簡単に拡張することができ、このようにデッキ５３を拡張し、増床することによって、デッキ５３上の空間の利用価値を大幅に高めることができる。
【０１４０】
この実施例１３において、建造物構築用のフレームとして、実施例６，７に示す防腐・防虫処理を施したフレームを用いれば、耐久性が大きく、長期間経過した後もデッキを拡張するために必要な強度を保持できるので、構築当初に狭いデッキ４９を構築した後、長い期間経過後に、ユーザの必要によりデッキを拡張する場合であっても、既存のフレームをそのまま用いて拡張できるので、簡単に施工することができる。
【０１４１】
また、この実施例１３はフレーム１，１の梁部分３，３間に屋根を取り付け、構築当初の階段で屋根の上に狭いデッキを架設した場合にも適用することができる。
【０１４２】
なお、この実施例１３の他の構成，作用については、前記実施例１２と同様であり、フレームとして実施例１〜１１に示すフレームを選択的に使用できることも実施例１２と同様である。
【実施例１４】
【０１４３】
図１９は本発明の実施例１４を示す建造物の斜視図である。
【０１４４】
この図１９に示す実施例１４における建造物では、複数本としての２本のフレーム１，１の梁部分３，３の根元側、つまり家屋のドア４６側から同梁部分３，３の先端側にわたって屋根５５が取り付けられている。
【０１４５】
そして、屋根５５の上方における梁部分３，３の根元側には梁４７が組み付けられ、この梁４７との間に所要の間隔をおいた位置に、梁４８が組み付けられている。
【０１４６】
前記梁４７，４８間には、デッキ４９が架設されていて、このデッキ４９はフレーム１，１に梁部分３，３を介して片持ち状に支持されている。前記デッキ４９の周りにはフェンス５０が取り付けられている。
【０１４７】
したがって、この実施例１４の建造物によれば、屋根５５の下方を、雨水がかからない好適な空間として色々な用途に利用することができる。
【０１４８】
この実施例１４における他の構成については、前記実施例１２と同様であり、建造物用のフレームとして実施例１〜１１に示すフレームを選択的に使用できることも、実施例１２と同様である。
【実施例１５】
【０１４９】
図２０は本発明の実施例１５を示す建造物の斜視図である。
【０１５０】
この図２０に示す実施例１５の建造物では、複数本のフレームとして２本のフレーム１，１の梁部分３，３のほぼ一半部にデッキ４９が架設され、他半部には物干し設備５６が設けられている。
【０１５１】
前記物干し設備５６は、各フレーム１の梁部分３の下面側に形成されたガイドスリット（図示せず）と、物干し竿用ガイド部材５７と、物干し竿５９とを備えている。
【０１５２】
前記物干し竿用ガイド部材５７は、正面から見てＴ字型に形成され、かつ上下方向に複数の物干し竿用通し孔５８が設けられている。
【０１５３】
そして、前記物干し竿用ガイド部材５７は、各フレーム１の梁部分３に形成されたガイドスリットに、複数個ずつスライド可能に装着されており、左右１組の物干し竿用ガイド部材５７，５７に設けられた物干し竿用通し孔５８，５８に物干し竿５９を通して支持し、この物干し竿５９に洗濯物等を掛けて乾かすようになっている。
【０１５４】
したがって、この実施例１５の建造物によれば、邪魔な柱のない、デッキ４９の下方の空間を物干し場として有効に利用することができる。
【０１５５】
この実施例１５の他の構成，作用については、前記実施例１２と同様であり、建造物用のフレームとして実施例１〜１１に示すフレームを選択的に使用できることも、実施例１２と同様である。
【実施例１６】
【０１５６】
図２１は本発明の実施例１６としての建造物の斜視図である。
【０１５７】
この図２１に示す実施例１６の建造物では、複数本のフレームとしての２本のフレーム１，１の梁部分３，３のほぼ一半部にデッキ４９が架設され、他半部にはパーゴラ６０が設けられている。
【０１５８】
したがって、この実施例１６の建造物によれば、パーゴラ６０に藤や朝顔などの蔓植物を絡ませて鑑賞に供することができる。
【０１５９】
この実施例１６の他の構成，作用については、前記実施例１２と同様であり、建造物用のフレームとして実施例１〜１１に示すフレームを選択的に使用できることも、実施例１２と同様である。
【実施例１７】
【０１６０】
図２２は本発明の実施例１７を示す建造物の斜視図である。
【０１６１】
この図２２に示す実施例１７の建造物では、複数本としての２本のフレーム１，１の梁部分３，３の根元側から先端にわたって屋根５５が取り付けられている。
【０１６２】
また、フレーム１，１の梁部分３，３の根元側には梁４７が組み付けられており、この梁４７と所定の間隔をおいた位置に他の梁４８が組み付けられている。
【０１６３】
前記屋根５５の上方において、前記梁４７，４８間にはデッキ４９が架設されている。このデッキ４９の周りには、フェンス５０が取り付けられている。
【０１６４】
前記屋根５５の下方の空間には、ガーデンルーム６１が形成されている。
【０１６５】
このガーデンルーム６１は、補強柱６２と、補強梁６３と、上がり框６４と、格子６５および格子戸６６等を備えて構成されている。
【０１６６】
前記補強柱６２は、集成材で形成されていて、基礎４４と各フレーム１の梁部分３の先端部間に取り付けられている。
【０１６７】
前記補強梁６３は、補強柱６２，６２とフレーム１，１の梁部分３，３の先端部間に組み付けられている。
【０１６８】
前記上がり框６４は、地面Ｇ上に所定の間隔をおいて設置されている。
【０１６９】
前記格子６５と格子戸６６とは、屋根５５の下縁部を構成している部材と上がり框６４間に嵌め込まれている。
【０１７０】
前述のごとく構成した実施例１７の建造物によれば、屋根５５の下方に形成されたガーデンルーム６１を利用して趣味に興ずることができる。
【０１７１】
この実施例１７の他の構成，作用については、前記図１９に示す実施例１４と同様である。
【実施例１８】
【０１７２】
図２３は本発明の実施例１８としての建造物の一例を示す斜視図、図２４は建造物の他の例を示す斜視図である。
【０１７３】
その図２３に示す実施例１８の建造物では、複数本としての３本のフレーム１が互いに所定の間隔をおいて立設されている。
【０１７４】
立設された３本のフレーム１のうちの、図２３において左側の２本のフレーム１，１の梁部分３，３間には、屋根５５が取り付けられている。
【０１７５】
３本のフレーム１の梁部分３の根元側には、梁４７が組み付けられている。また、この梁４７と所定の間隔をおいて、他の梁４８が組み付けられている。そして、前記梁４７，４８間には、デッキ４９が架設されている。したがって、この図２３に示す実施例では、間口の広いデッキ４９が設けられている。
【０１７６】
図２３において、デッキ４９の右側寄りの位置にはデッキへの出入り口６８が設けられている。このデッキへの出入り口６８には、手摺り６９が設けられている。
【０１７７】
前記デッキへの出入り口６８の手摺り６９を除いて、デッキ４９の周りにはフェンス５０が取り付けられている。
【０１７８】
さらに、地面Ｇと前記デッキへの出入り口６８間には、階段７０が設置されている。したがって、この図２３に示す実施例では、階段７０を使ってデッキ４９へ簡便に登り降りすることができる。
【０１７９】
次に、図２４に示す例では、立設された３本のフレーム１のうちの、図２４において左側の２本のフレーム１，１の梁部分３，３に屋根５５が取り付けられている。
【０１８０】
また、図２４において中間部のフレーム１の梁部分３の先端部と、右側のフレーム１の梁部分３の先端部とに、それぞれ補強柱７１が立設されている。前記中間部のフレーム１の梁部分３の先端部と、右側のフレーム１の梁部分３の先端部と、補強柱７１，７１間には梁７２が組み付けられている。
【０１８１】
前記左側のフレーム１の梁部分３と、中間部のフレーム１の梁部分３間には、梁部分３の根元側からほぼ中間部までデッキ４９が架設されている。さらに、中間部のフレーム１の梁部分３と、右側のフレーム１の梁部分３間には、梁部分３の根元側から前記梁７２にわたってデッキ４９が延設されている。したがって、３本のフレーム１の梁部分３には、広大なデッキ４９が設けられている。
【０１８２】
前記デッキ４９の右側端部には、デッキへの出入り口７３と、踊り場７４とが設けられている。これらデッキへの出入り口７３と踊り場７４には、手摺り７５が付設されている。この手摺り７５を除いて、デッキ４９の周りにはフェンス５０が取り付けられている。
【０１８３】
そして、地面Ｇと前記デッキへの出入り口７３間には、階段７０が設置されている。
【０１８４】
したがって、この図２４に示す実施例によれば、デッキ４９が広大であること、そのデッキ４９に階段７０を使って自由に登り降りすることができることとにより、デッキ４９の利用価値を大幅に高めることができる。
【０１８５】
なお、この図２４に示す例では屋根５５の下方の空間の一角に、濡れ縁７６が設けられている。
【０１８６】
これら図２３および図２４に示す実施例１８の建造物の他の構成，作用については、前記図１９に示す実施例１４の建造物と同様である。
【実施例１９】
【０１８７】
図２５は本発明の実施例１９における建造物の一例を示す斜視図、図２６は同実施例１９における建造物の他の例を示す斜視図である。
【０１８８】
その図２５に示す実施例１９の建造物では、複数本としての２本のフレーム１が互いに所定の間隔をおいて立設されている。
【０１８９】
立設された２本のフレーム１，１の梁部分３，３には、全面にわたってデッキ４９が架設されている。このデッキ４９の周りには、フェンス５０が取り付けられている。
【０１９０】
一方、各フレーム１の梁部分３の先端部側には、通し柱７７が立設されている。したがって、この通し柱７７はこの図２５の例では２本立設されている。他方、各フレーム１の柱部分２の延長上には継なぎ柱７８が連結されている。したがって、この継なぎ柱７８もこの図２５の例では２本建てられている。
【０１９１】
前記通し柱７７同士と継なぎ柱７８同士の上端部は、横桁７９により継ながれている。各通し柱７７と後方に位置する継なぎ柱７８の上端部は、縦桁８０により継ながれている。
【０１９２】
前記通し柱７７、継なぎ柱７８、横桁７９および縦桁８０共、集成材により形成されている。
【０１９３】
以上の骨組みにより、この図２５に示す建造物は、総２階建てに構築されている。
【０１９４】
前記階上に相当するデッキ４９の上部は、物干し場として利用するようになっている。この物干し場には、物干し設備８１が設けられている。この物干し設備８１は、各縦桁８０に形成されたガイドスリット（図示せず）と、物干し竿用ガイド部材８２と、物干し竿８４とを備えている。
【０１９５】
前記物干し竿用ガイド部材８２は、正面から見てＴ字型に形成され、かつ上下方向に複数の物干し竿用通し孔８３が設けられている。
【０１９６】
そして、前記物干し竿用ガイド部材８２は、前記図２０に示す実施例１５と同様、各縦桁８０に形成されたガイドスリットに、複数個ずつスライド可能に装着されており、左右１組の物干し竿用通し孔８３，８３に物干し竿８４を通して支持し、この物干し竿８４に洗濯物等を掛けて乾かすようになっている。
【０１９７】
この図２５に示す実施例１９によれば、家屋の２階のドア４６から、または別設置の外階段（図示せず）からデッキ４９上へ出入りし、便利な物干し場として利用することができる。
【０１９８】
ついで、図２６に示す実施例１９の建造物では、デッキ４９上に、エンクロージャー８６により囲ったガーデンルーム８５が構築されている。
【０１９９】
したがって、この図２６に示す実施例によれば、家屋の２階のドア４６から、または別設置の外階段（図示せず）を使ってデッキ４９上に登り、ガーデンルーム８５を利用してガーデニングに興ずることができる。
【０２００】
この図２６に示す建造物の他の構成については、前記図２５に示す建造物と同様である。
【０２０１】
以上説明したこの実施例１９における建造物は、強度の大きいフレーム１を用いているので、総２階建てに構築しても、堅固に建造することができるし、組み立て工数を少なくすることができる。
【０２０２】
なお、この実施例１９においても、実施例１のフレームに限らず、実施例１〜１１のフレームを選択して使用することができる。
【実施例２０】
【０２０３】
次に、図２７〜図３１は本発明の実施例２０の建造物とその骨組みの一例を示すもので、図２７は建造物の斜視図、図２８は建造物の側面図、図２９，図３０および図３１はそれぞれこの実施例で用いているフレームと他の部材との組み付け構造を示す詳細図である。そして、図３２は同実施例２０の建造物の他の例を示す斜視図である。
【０２０４】
その図２７に示す実施例２０の建造物では、図６に示す実施例５のフレーム２０を２本用いている。
【０２０５】
前記２本のフレーム２０は、建造すべき家屋のベランダに当たる位置に互いに所定の間隔をおいて配置され、かつ基礎４４およびアンカスタッド４５を介して立設されている。
【０２０６】
前述のごとく立設されたフレーム２０，２０の短い梁部分３，３間に、図２９に示す例では梁部分３，３の根元側に小梁８７が組み付けられている。また、同梁部分３，３間には前記小梁８７と所定の間隔をおいて他の小梁８８が組み付けられている。そして、同梁部分３，３には、小梁８７，８８間に根太８９が組み込まれている。
【０２０７】
前記フレーム２０，２０の短い梁部分３，３間には、前記根太８９，８９に掛け渡してデッキ４９が架設されている。このデッキ４９の周りには、フェンス５０が取り付けられている。
【０２０８】
また、前記フレーム２０，２０の柱部分２の背面に沿って家屋用の１階管柱９１が配置され、これの上方に２階管柱９２が配置されている。前記１階管柱９１の上端部とフレーム２０の長い梁部分２１の下面間には、胴差し９３が組み付けられている。他方、２階管柱９２の下端部と前記梁部分２１の上面間には、台輪９４が組み付けられている。そして、前記胴差し９３と梁部分２１と台輪９４とは通しボルト９５により結合されていて、この結合構造を介してフレーム２０，２０の長い梁部分２１，２１の根元側に、１階管柱９１と２階管柱９２とが結合され、立設されている。
【０２０９】
さらに、所定の間隔をおいて複数本の１階管柱９１が配置され、それぞれ基礎４４を介して立設されている。そして、各１階管柱９１を利用して１階床９６が敷設されている。
【０２１０】
各１階管柱９１には、台輪９４や床梁９７を介して２階管柱９２が立設されている。
【０２１１】
さらに、前記フレーム２０，２０の長い梁部分２１，２１には所定の間隔をおいてこの実施例では図２８に示すごとく、２本の床梁９７，９７が組み付けられている。前記床梁９７，９７間、および床梁９７と台輪９４間には、根太９８が組み付けられている。そして、前記根太９８上に２階床９９が敷設されている。
【０２１２】
また、２階管柱９２の上部には小屋組み１００が施され、この小屋組み１００上に屋根１０１が取り付けられていて、家屋９０が構築されている。
【０２１３】
以上のように構築された家屋９０は、２本のフレーム２０，２０の柱部分２，２と長い梁部分２１，２１とを利用してベランダ側の１階管柱９１，９１と２階管柱９２，９２とを結合するようにしているので、１階，２階管柱９１，９２；９１，９２を堅固に立設することができる。
【０２１４】
また、フレーム２０，２０の長い梁部分２１，２１を利用して２階の床組みを行うようにしているので、２階床９９をも堅固に施工することができる。
【０２１５】
さらに、この実施例２０によれば、フレーム２０，２０の短い梁部分３，３間にデッキ４９を架設し、柱部分２，２と長い梁部分２１，２１を利用して家屋９０の一部の骨組みを形成するようにしているので、デッキ４９と家屋９０を構築するための組み立て工数を削減でき、したがって施工能率の向上を図ることができる。
【０２１６】
そして、前記デッキ４９は家屋９０の２階のドア１０２から出入り可能なバルコニー等として使用することができ、デッキ４９の下方の空間はカーポートや縁側等として使用することができる。
【０２１７】
次に、本発明のフレームを用いた建造物の骨組みの図３０に示す例では、フレーム２０の長い梁部分２１を家屋の２階の床梁に兼用している外は、前記図２９に示す骨組みと同様である。
【０２１８】
ついで、本発明のフレームを用いた建造物の骨組みの図３１に示す例では、フレーム２０の柱部分２の一側部に１階管柱９１と、２階管柱９２とが配置されている。
【０２１９】
また、フレーム２０の長い梁部分２１における１階，２階管柱９１，９２が配置されている側には、２階床梁１０３が配置されている。この２階床梁１０３は、通しボルト１０４により前記フレーム２０の長い梁部分２１に結合されている。
【０２２０】
前記１階管柱９１と２階床梁１０３間には、胴差し９３が組み付けられている。また、前記２階管柱９２と２階床梁１０３間には、台輪９４が組み付けられている。
【０２２１】
このように、この図３１に示す例ではフレーム２０の長い梁部分２１に２階床梁１０３を結合し、家屋の１階の上部部材と２階の下部部材とが前記２階床梁１０３を抱き合わせるように骨組みされている外は、前記図２９に示す例と同様である。
【０２２２】
以上、図２９，図３０および図３１に示す骨組みにおいて、フレーム２０に対する加工は、フレーム２０の各部が全て集成材で形成されているので、普通の大工道具を使って容易に行うことができる。
【０２２３】
続いて、図３２に示す実施例２０の建造物では、３本のフレーム２０が互いに所定の間隔をおいて立設されている。
【０２２４】
前述のごとく立設された３本のフレーム２０のうちの、図３２において左側に隣接する２本のフレーム２０，２０の短い梁部分３，３間には、屋根５５が取り付けられている。
【０２２５】
また、前記屋根５５を有する部分と、屋根のない部分とにわたって、フレーム２０の３本の短い梁部分３間における梁部分３の長さ方向の根元側のほぼ半部には、デッキ４９が架設されており、デッキ４９の周りにはフェンス５０が取り付けられている。したがって、この図３２に示す例では間口の広いデッキ４９が構築されている。
【０２２６】
屋根のない側のデッキ４９、すなわち図３２おいて右側のデッキ４９の奥側には、デッキへの出入り口１０４が設けられている。このデッキへの出入り口１０４の両側には、手摺り１０５が取り付けられている。
【０２２７】
地面Ｇと前記デッキへの出入り口１０４間には、階段１０６が設置されている。
【０２２８】
このように、この図３２に示す建造物によれば、デッキ４９を広く形成し、この広いデッキ４９に階段１０６を使って登り降りできるようにしているので、デッキ４９の利用価値を大幅に高くすることができる。また、屋根５５およびデッキ４９の下方の空間も広く形成しているので、利用価値を高めることができる。
【０２２９】
なお、この図３２に示す建造物の他の構成，作用については、前記図２７〜図３１に示すものと同様である。
【０２３０】
また、この実施例２０の建造物において使用するフレームは、図６に示すフレーム２０に限らず、図７に示すフレーム２２や、図８に示すフレーム２４をも使用することができる。
【実施例２１】
【０２３１】
図３３は本発明の実施例２１における建造物の斜視図である。
【０２３２】
この図３３に示す実施例２１の建造物では、図１に示す実施例１のフレーム１が３本、互いに所定の間隔をおいて並列に立設されている。
【０２３３】
前記３本のフレーム１の上部には、全面に屋根５５が取り付けられている。また、各フレーム１の梁部分３の上部には、合成樹脂やステンレス，カラー銅板などで作られたカバー３’が被せられている。
【０２３４】
さらに、図３３において左側のフレーム１，１の柱部分２，２の根元寄りには、棚１０７が取り付けられている。
【０２３５】
このように構築した実施例２１の建造物によれば、屋根５５の下方の空間を、屋根付きの縁側や物置き，自転車置き場，カーポート等に使用することができる。
【０２３６】
また、フレーム１の梁部分３の上部にカバー３’を被せているので、更に耐久性を高めることができるし、美しい景観のデザインを施すこともできる。
【０２３７】
なお、この実施例２１における建造物では、実施例１に示すフレーム１に限らず、実施例１〜１０に示すフレームを選択して使用することができる。
【実施例２２】
【０２３８】
図３４は本発明の実施例２２における建造物の斜視図である。
【０２３９】
この図３４に示す実施例２２の建造物においても、図１に示す実施例１のフレーム１が３本、互いに所定の間隔をおいて並列に立設されている。
【０２４０】
また、前記３本のフレーム１の上部には、全面にわたって屋根５５が取り付けられている。
【０２４１】
前記屋根５５の上方には、家屋の２階のドア４６側のほぼ半部にデッキ４９が架設されている。このデッキ４９の周りには、フェンス５０が取り付けられている。
【０２４２】
そして、この実施例２２の建造物によれば、間口の広いデッキ４９に家屋の２階のドア４６を通じて出入りし、デッキ４９をバルコニーや物干し場等に有効に使用することができる。
【０２４３】
また、屋根５５の下方の空間を、片側に邪魔な柱のないカーポートとして使用することができる外、広いので店舗として利用することもできる。
【０２４４】
なお、この実施例２２の建造物の他の構成，作用については、前記図１９に示す実施例１４と同様である。
【実施例２３】
【０２４５】
図３５は本発明の実施例２３における建造物の斜視図である。
【０２４６】
この図３５に示す実施例２３の建造物では、デッキ建造用のスペースの一方の側に、図１に示す実施例１のフレーム１が３本、互いに所定の間隔をおいて並列に立設されている。
【０２４７】
また、同スペースの他方の側には、図３５において左側のフレーム１に対向する位置に、図２に示す実施例２のフレーム５が立設され、３本のフレーム１のうちの中央のフレーム１に対向する位置には、図５に示す実施例４のフレーム１４が立設されている。
【０２４８】
前記３本のフレーム１の上部には、梁１０８が取り付けられ、２本のフレーム５，１４の上部には、他の梁１０９が取り付けられている。
【０２４９】
前記３本のフレーム１の上部と２本のフレーム５，１４の上部の全面にわたり、梁１０８，１０９を介して屋根１１０が取り付けられている。
【０２５０】
また、屋根１１０の上方において、２本のフレーム１，１の梁部分３，３と、２本のフレーム５，１４の梁部材７，１６にわたって、デッキ１１１が架設されている。
【０２５１】
さらに、デッキ１１１の傍らには補強柱１１２，１１２により支持された踊り場１１３が設けられている。
【０２５２】
前記踊り場１１３の出入り口を除いて、デッキ１１１と踊り場１１３の周りには、フェンス１１４が取り付けられている。
【０２５３】
さらに、地面Ｇと前記踊り場１１３の出入り口間には、階段１１５が設置されている。この階段１１５には、手摺り１１６が取り付けられている。
【０２５４】
そして、この実施例２３の建造物では、
（ア）デッキ１１１が２本のフレーム１，１の梁部分３，３と、２本のフレーム５，１４の梁部材７，１６により支持されていて、その支持構造上、強度が大きいこと、
（イ）デッキ１１１が広いこと、
（ウ）階段１１５を使ってデッキ１１１に楽に登り降りできること、
とにより、デッキ１１１上に物干し設備，店舗，すべり台やブランコ等の遊具，食事・喫茶設備，流し台，洗面・手洗い設備，家庭菜園，パーゴラ，オーニング，ハンモックや簡易ベッド等の休息具，その他必要なものを持ち込んで有効に利用することができる。
【０２５５】
また、屋根１１０の下方の空間も広いので、大型のカーポートとしてはもとより、ガーデニングルーム，店舗，遊具，食事・喫茶設備等を設置して有効に利用することができる。
【０２５６】
なお、この実施例２３において、フレームには実施例１に示すフレーム１と、実施例２に示すフレーム５と、実施例４に示すフレーム１４とを用いるものに限らず、前記実施例１〜１１に示すフレームを単独で、または複数種類組み合わせて用いることができる。
【０２５７】
［その他の実施例］
前記建造物に関する各実施例において、フェンスの形やデザインには様々なスタイルのものを選択して採用することができる。
【図面の簡単な説明】
【０２５８】
【図１】本発明の実施例１のフレームを示す斜視図である。
【図２】本発明の実施例２のフレームを示す斜視図である。
【図３】本発明の実施例３のフレームを示す斜視図である。
【図４】本発明の実施例４のフレームの一例を示す斜視図である。
【図５】同実施例４のフレームの他の例を示す斜視図である。
【図６】本発明の実施例５のフレームの一例を示す斜視図である。
【図７】同実施例５のフレームの他の例を示す斜視図である。
【図８】同実施例５のフレームのさらに他の例を示す斜視図である。
【図９】本発明の実施例８のフレームを示すもので、テーブルを使用状態にセッティングした場合の斜視図である。
【図１０】同実施例８のフレームにおいて、テーブルを収納した状態の斜視図である。
【図１１】本発明の実施例９のフレームを示すもので、ベンチを使用状態にセッティングした場合の斜視図である。
【図１２】同実施例９のフレームにおいて、ベンチを収納した状態の斜視図である。
【図１３】本発明の実施例１０のフレームを示す斜視図である。
【図１４】本発明の実施例１１のフレームの一例を示す斜視図である。
【図１５】同実施例１１のフレームの他の例を示す斜視図である。
【図１６】本発明の実施例１２の建造物を示す斜視図である。
【図１７】本発明の実施例１３の建造物において、デッキを拡張する前の状態を示す斜視図である。
【図１８】同実施例１３の建造物において、デッキを拡張した状態を示す斜視図である。
【図１９】本発明の実施例１４の建造物を示す斜視図である。
【図２０】本発明の実施例１５の建造物を示す斜視図である。
【図２１】本発明の実施例１６の建造物を示す斜視図である。
【図２２】本発明の実施例１７の建造物を示す斜視図である。
【図２３】本発明の実施例１８の建造物の一例を示す斜視図である。
【図２４】同実施例１８の建造物の他の例を示す斜視図である。
【図２５】本発明の実施例１９の建造物の一例を示す斜視図である。
【図２６】同実施例１９の建造物の他の例を示す斜視図である。
【図２７】本発明の実施例２０の建造物の一例を示す斜視図である。
【図２８】図２７に示す建造物の側面図である。
【図２９】同実施例２０において、フレームと他の部材との組み付け構造の一例を示す拡大側面図である。
【図３０】同実施例２０において、フレームと他の部材との組み付け構造の他の例を示す拡大側面図である。
【図３１】同実施例２０において、フレームと他の部材との組み付け構造のさらに他の例を示す背面図である。
【図３２】同実施例２０の建造物の他の例を示す斜視図である。
【図３３】本発明の実施例２１の建造物を示す斜視図である。
【図３４】本発明の実施例２２の建造物を示す斜視図である。
【図３５】本発明の実施例２３の建造物を示す斜視図である。
【符号の説明】
【０２５９】
１  フレーム
２  柱部分
３  梁部分
４  ウエブ
５  フレーム
６  柱部材
７  梁部材
８  補強部材
９  フレーム
１０，１１  第１，第２の柱部材
１２  梁部材
１４  フレーム
１５  柱部材
１６  梁部材
１７，１８  補強部材
２０  フレーム
２１  長い梁部分
２２  フレーム
２３  梁部材
２３ａ  梁部材の短い部分
２３ｂ  梁部材の長い部分
２４  フレーム
２５  梁部材
２５ａ  梁部材の短い部分
２５ｂ  梁部材の長い部分
２６  ヒンジ
２７  テーブル
２８  脚
３０  ヒンジ
３１  ベンチ
３２  脚
３３  水場
３８  フレーム
３９，４０  第１，第２の柱部材
４１  梁部材
４３  フェンス
４７，４８  梁
４９  デッキ
５０  フェンス
５１  補強柱
５２  梁
５３  拡張したデッキ
５４  拡張したフェンス
５５  屋根
５６  物干し設備
６０  パーゴラ
６１  ガーデンルーム
６２  補強柱
６３  補強梁
７０  階段
７１  補強柱
７２  梁
７７  通し柱
７８  継なぎ柱
７９  横桁
８０  縦桁
８１  物干し設備
８５  ガーデンルーム
９０  家屋
９１  １階管柱
９２  ２階管柱
９７  ２階の床梁
１０２  家屋の２階のドア
１０３  ２階床梁
１０６  階段
１０８，１０９  梁
１１０  屋根
１１１  デッキ
１１２  補強柱
１１３  踊り場
１１４  フェンス
１１５  階段
【図１】
2006063726.tif 000003
【図２】
2006063726.tif 000004
【図３】
2006063726.tif 000005
【図４】
2006063726.tif 000006
【図５】
2006063726.tif 000007
【図６】
2006063726.tif 000008
【図７】
2006063726.tif 000009
【図８】
2006063726.tif 000010
【図９】
2006063726.tif 000011
【図１０】
2006063726.tif 000012
【図１１】
2006063726.tif 000013
【図１２】
2006063726.tif 000014
【図１３】
2006063726.tif 000015
【図１４】
2006063726.tif 000016
【図１５】
2006063726.tif 000017
【図１６】
2006063726.tif 000018
【図１７】
2006063726.tif 000019
【図１８】
2006063726.tif 000020
【図１９】
2006063726.tif 000021
【図２０】
2006063726.tif 000022
【図２１】
2006063726.tif 000023
【図２２】
2006063726.tif 000024
【図２３】
2006063726.tif 000025
【図２４】
2006063726.tif 000026
【図２５】
2006063726.tif 000027
【図２６】
2006063726.tif 000028
【図２７】
2006063726.tif 000029
【図２８】
2006063726.tif 000030
【図２９】
2006063726.tif 000031
【図３０】
2006063726.tif 000032
【図３１】
2006063726.tif 000033
【図３２】
2006063726.tif 000034
【図３３】
2006063726.tif 000035
【図３４】
2006063726.tif 000036
【図３５】
2006063726.tif 000037